(57)【要約】【課題】  ペットの濡れた毛の水分を短時間で除去することができる水分除去具を提供する。【解決手段】  一端にノズル先部３が形成され他端に接続部４が形成された中空のノズル２と、このノズル２の接続部４に接続される負圧発生手段とを有し、負圧発生手段により発生した負圧力でノズル先部３からペットの濡れた毛の水分を吸引し除去する。また、ノズル２の接続部４に送風機を接続し、送風機により発生した風圧力でノズル先部３から水分を吹き飛ばすことにより、ペットの濡れた毛の水分を除去する。【選択図】  図１
2006042710.tif 000002
【特許請求の範囲】
【請求項１】
一端にノズル先部が形成され他端に接続部が形成された中空のノズルと、このノズルの接続部に接続される負圧発生手段とを有し、負圧発生手段により発生した負圧力でノズル先部からペットの濡れた毛の水分を吸引し除去することを特徴とする水分除去具。
【請求項２】
一端にノズル先部が形成され他端に接続部が形成された中空のノズルと、このノズルの接続部に接続される送風機とを有し、送風機により発生した風圧力でノズル先部から水分を吹き飛ばすことにより、ペットの濡れた毛の水分を除去することを特徴とする水分除去具。
【請求項３】
前記ノズル先部は、複数本のパイプが並列に配置されてなることを特徴とする請求項１または２記載の水分除去具。
【発明の詳細な説明】
【技術分野】
【０００１】
本発明は、ペットの濡れた毛の水分を除去するために用いられる水分除去具に関する。
【背景技術】
【０００２】
犬や猫などのペット、特に大型犬を洗った場合や水浴びをさせた場合には、毛に付く水分量が多いために拭き取り作業が困難であり、手早く水分を拭き取らなければ、犬が泥まみれになることも少なくない。また、水分を拭き取るためには、タオルを何枚も用意して拭き取り作業を行わなければならず、手間がかかる。
【０００３】
ところが、ペット専用に水分を除去するための用具は提供されておらず、従来から人間のための用具をペットに流用している。
【０００４】
一方、人間の毛髪を乾かすためには、一般にヘアードライヤーが使用されている。また、ヘアードライヤー以外には、例えば、濡れた髪の毛の水分を拭い取る操作を短時間で行うことができる吸水具が提案されている（例えば、特許文献１参照。）。
【０００５】
この吸水具は、ＰＶＡスポンジなどの吸水部材を備え、吸水対象物に吸水部材を接触させて好適に吸水することができるものである。
【特許文献１】実用新案登録第３０４９７０５号公報
【発明の開示】
【発明が解決しようとする課題】
【０００６】
しかしながら、ヘアードライヤーを大型犬のようなペットに対して用いた場合、風力が弱いため、乾かすのに時間がかかってしまう。
【０００７】
また、上記した特許文献に記載された吸水具では、ある程度の水分を拭き取ることはできるが、水分量が多くなると、吸水部材を吸水具から取出して絞った後、再び吸水具に取り付けて使用しなければならず、大型犬の毛のように、大量の水分が付くようなものには、対処することができない。
【０００８】
本発明は、このような事情に鑑み創案されたもので、ペットの濡れた毛の水分を短時間で除去することができる水分除去具を提供するものである。
【課題を解決するための手段】
【０００９】
本発明は、一端にノズル先部が形成され他端に接続部が形成された中空のノズルと、このノズルの接続部に接続される負圧発生手段とを有し、負圧発生手段により発生した負圧力でノズル先部からペットの濡れた毛の水分を吸引し除去することを特徴とする。
【００１０】
この発明によれば、ノズル先部をペットの濡れた毛に接触させて、負圧発生手段により負圧を発生させると、ノズル先部から水分が吸引されるので、手早く水分を除去することができる。また、負圧発生手段により水分を吸引するので、水分を取り込んだ吸水部材を絞ったり、何枚ものタオルを取り替えるといった手間がかからない。
【００１１】
本発明は、一端にノズル先部が形成され他端に接続部が形成された中空のノズルと、このノズルの接続部に接続される送風機とを有し、送風機により発生した風圧力でノズル先部から水分を吹き飛ばすことにより、ペットの濡れた毛の水分を除去することを特徴とする。
【００１２】
この発明によれば、ペットの濡れた毛にノズル先部を接触させて、送風機により風圧力を発生させると、ノズル先部から水分を吹き飛ばすことができるので、短時間で水分を除去することができる。
【００１３】
本発明は、上記構成の水分除去具において、前記ノズル先部は、複数本のパイプが並列に配置されてなることを特徴とする。
【００１４】
この発明によれば、複数本のパイプをペットの毛の中に挿入して水分を吸引することができるので、短時間に効率良く水分を除去することができる。
【発明の効果】
【００１５】
本発明に係る水分除去具によれば、ペットの濡れた毛の水分を短時間で除去することができる。
【発明を実施するための最良の形態】
【００１６】
以下、本発明の実施の形態について、図面を参照して説明する。
【００１７】
この水分除去具１は、ノズル２と、このノズル２の接続部４に接続されるバキュームクリーナ５とを有している。
【００１８】
ノズル２は、図１に示すように、一端にノズル先部３が形成され、他端に接続部４が形成された中空体で構成されている。
【００１９】
ノズル先部３は、複数本（本実施例では６本）の金属製のパイプ３１が所定間隔をおいて並列に配置されてなっている。
【００２０】
なお、ノズル先部３は、並列に配置されたパイプ３１に限られるものではなく、例えば、図２に示すように、先端に開口部３２が設けられ、基端部に向かって広がるテーパ状に形成された中空体３３のようなものであってもよい。また、パイプ３１は、金属製に限られるものではなく、例えば、合成樹脂製であってもよい。
【００２１】
接続部４は、連結管４１を介してバキュームクリーナー５に接続されるようになされている（図３参照）。
【００２２】
バキュームクリーナー５は、例えば、一般に販売されている乾湿両用のバキュームクリーナーが用いられ、負圧を発生させることにより、水分を吸引することができるようになされている。
【００２３】
なお、負圧を発生させる手段は、バキュームクリーナー５に限定されるものではない。
【００２４】
次に、上記構成の水分除去具１の使用方法について、犬（特に大型犬）に使用する場合を例にとって説明する。
【００２５】
まず、ノズル２の接続部４を、連結管４１を介してバキュームクリーナー５に接続しておく。
【００２６】
次に、犬の濡れた毛の中にパイプ３１を挿入し、バキュームクリーナー５を作動させる。こうすると、バキュームクリーナー５の作動によって負圧が発生し、犬の毛に付いた水分がパイプ３１から吸引される。
【００２７】
ある程度水分を吸引した後、乾いたタオルで残った水分を拭き取ると、一枚あるいは２枚程度のタオルを用意するだけで、毛に付いた水分をほとんど除去することができる。
【００２８】
なお、犬が体を震わせて毛に付いた水分を周囲に撒き散らす前に吸引すれば、周囲に水が散乱されることを防止できる。
【００２９】
次に、本発明の水分除去具１の他の実施の形態について説明する。
【００３０】
この水分除去具１は、ノズル２の接続部４を送風機（図示せず）に接続し、送風機により発生した風圧力でノズル先部３から水分を吹き飛ばすことにより、ペットの濡れた毛の水分を除去することを特徴とするものであって、ノズル２の構成は、上記した実施の形態におけるものと同様である。
【００３１】
送風機（図示せず）は、モータの駆動力によりファンを回転させ、強い風圧力を発生させるものである。
【００３２】
次に、この水分除去具１の使用方法について、犬（特に大型犬）に使用する場合を例にとって以下に説明する。
【００３３】
まず、ノズル２の接続部４を送風機に接続しておく。
【００３４】
次に、犬の濡れた毛の中にパイプ３１を挿入し、送風機を作動させる。こうすると、送風機の作動によって発生した風圧力によって犬の毛の水分が吹き飛ばされる。
【００３５】
ある程度水分を吹き飛ばした後、乾いたタオルで残った水分を拭き取ると、一枚あるいは２枚程度のタオルを用意するだけで、毛に付いた水分をほとんど除去することができる。
【産業上の利用可能性】
【００３６】
本発明は、ペットの濡れた毛の水分を短時間で除去することができる水分除去具に適用できる。
【図面の簡単な説明】
【００３７】
【図１】本発明に係る水分除去具のノズルを示す斜視図である。
【図２】本発明に係る水分除去具のノズル先部の変形例を示す斜視図である。
【図３】本発明に係る水分除去具の全体を模式的に示す図である。
【符号の説明】
【００３８】
１      水分除去具
２      ノズル
３      ノズル先部
３１    パイプ
４      接続部
５      バキュームクリーナー（負圧発生手段）
【図１】
2006042710.tif 000003
【図２】
2006042710.tif 000004
【図３】
2006042710.tif 000005